(57)【特許請求の範囲】
【請求項１】
上方を開口するとともに互いに対向する対向壁を底部から前記開口に向かうにつれて拡開させて傾斜壁とした凹部を有する支持体と、前記凹部の底部に互いの一端部を接近させて取着されるとともに互いに対向する対向面と反対側の面を前記傾斜壁に支持させて前記凹部内に配設され、エアーの給排気により膨縮する一対の押上用エアーバッグと、この押上用エアーバッグにエアーの給排気をするエアー給排気装置と、円筒状部材からなり前記一対の押上用エアーバッグの前記両対向面に支持させて配置され、前記一対の押上用エアーバッグの膨張につれて前記両対向面によって上方に押上げられて移動するとともに、前記両押上用エアーバッグの略最大膨張時には少なくとも一部は前記両押上用エアーバッグの上端部から突出する押圧子とを備えたことを特徴とするエアーマッサージ機。
【請求項２】
請求項１記載の発明において、支持体を身体を支持するマット部によって構成したことを特徴とするエアーマッサージ機。
【発明の詳細な説明】
【０００１】
【発明の属する技術分野】
この発明は、エアーの給排気によってエアーバッグを膨縮させて、被施療部をマッサージするエアーマッサージ機に関する。
【０００２】
【従来の技術】
従来、マット部にエアーの給排気によって膨縮する複数のエアーバッグを配設し、このエアーバッグにエアー給排気装置からエアーを給排気して被施療部を押圧してマッサージをするマット式（布団式ともいう）マッサージ機あるいは椅子の背もたれ部等に同様にエアーの給排気によって膨縮するエアーバッグを配設した椅子式エアーマッサージ機は広く知られている。
【０００３】
そして、この種の従来のマット式または椅子式のエアーマッサージ機は、マット部の内部あるいは背もたれ部の内部に配設された前記複数のエアーバッグを各種マッサージモードによって定められた順序に従って膨縮させてマッサージをするものである。しかし、この種のエアーマッサージ機においては膨張するエアーバッグで被施療部を押圧するものではあるものの、その膨張量はあくまでも被施療部を押圧することを目的としていることから、身体のある部位例えば腰部あるいは背筋等を伸ばすことはできないものである。
【０００４】
しかし、マッサージをする場合に身体の各部位を伸ばすことはより良好なマッサージ効果を得ることができるものであり、また、身体の各部位を伸ばすことは例えば腰痛等の疾患部のリハビリ等を効果的になすことができるものであることから、このようなことができるエアーマッサージ機の出現は極めて有益なことである。
【０００５】
【発明が解決しようとする課題】
上述のようにマッサージをする場合に良好なマッサージ効果を得る等の観点から身体部位の伸ばしができることが望ましいにもかかわらず、従来のエアーマッサージ機は、この機能を有していないものである。
【０００８】
【課題を解決するための手段】
請求項１記載の発明は、上方を開口するとともに互いに対向する対向壁を底部から前記開口に向かうにつれて拡開させて傾斜壁とした凹部を有する支持体と、前記凹部の底部に互いの一端部を接近させて取着されるとともに互いに対向する対向面と反対側の面を前記傾斜壁に支持させて前記凹部内に配設され、エアーの給排気により膨縮する一対の押上用エアーバッグと、この押上用エアーバッグにエアーの給排気をするエアー給排気装置と、円筒状部材からなり前記一対の押上用エアーバッグの前記両対向面に支持させて配置され、前記一対の押上用エアーバッグの膨張につれて前記両対向面によって上方に押上げられて移動するとともに、前記両押上用エアーバッグの略最大膨張時には少なくとも一部は前記両押上用エアーバッグの上端部から突出する押圧子とを備エアーマッサージ機としたものである。
【０００９】
この請求項１記載の発明は、上方を開口するとともに互いに対向する対向壁を底部から前記開口に向かうにつれて拡開させて傾斜壁とした凹部を支持体に設け、この凹部の底部に互いの一端部を近接させて取着されるとともに互いに対向する対向面と反対側の面を前記傾斜壁に支持させ、エアーの給排気により膨縮する一対の押上用エアーバッグを前記凹部内に配設し、この押上用エアーバッグの両対向面に支持させて配置され前記一対の押上用エアーバッグの膨張につれて前記対向面によって上方に押上げられて移動するとともに、前記両押上用エアーバッグの略最大膨張時には少なくともその一部は前記両押上用エアーバッグの上端部から突出する押圧子を設けたことから、押上用エアーバッグが膨張するにつれて上方に押上げられる前記押圧子によって身体の部位は上方に押上げられて伸ばされるとともに、この押圧子は身体の前記押上げる部分を押圧して指圧効果を付与するという作用を有するものである。
【００１０】
また、請求項２記載の発明は、請求項１記載の発明において、支持体を、身体を支持するマット部によって構成したエアーマッサージ機としたものである。
【００１１】
この請求項２記載の発明は、請求項１記載の発明において、支持体を身体を支持するマット部によって構成したことから、請求項１記載の発明の作用に加えて、マットに横たえた身体を押上げて伸ばすことから、より効果的に身体を押上げて伸ばすことができるという作用を有するものである。
【００１２】
【発明の実施の形態】
つぎに、この発明の参考例に係るマット式エアーマッサージ機を図１ないし図４に基いて説明する。
【００１３】
図１に示すようにマット式エアーマッサージ機１は、支持体としてのマット部１０とエアー給排気装置２０とから構成されている。
【００１４】
そして、前記マット部１０は、内部に発泡ウレタンフォーム等からなる肉厚のマット部材１０ａとこのマット部材１０ａを覆うカバー１０ｂとから構成され、また、マット部材１０ａの上面側内側には図１に示すように首部をマッサージする首用エアーバッグ１１、肩部をマッサージする肩用エアーバッグ１２、背中部をマッサージする背中用エアーバッグ１３、尻部をマッサージする尻用エアーバッグ１４、腿部をマッサージする腿用エアーバッグ１５および脚部（ふくらはぎ部）をマッサージする脚用エアーバッグ１６が配置され、これら首用エアーバッグ１１ないし脚用エアーバッグ１６は、前記カバー１０ｂによって覆われている。また、これら首用エアーバッグ１１ないし脚用エアーバッグ１６には、エアーホース（以下単にホースという）１１ａないし１６ａの一端側が接続されており、これらホース１１ａないし１６ａの他端は、マット部１０の側縁部に設けられた接続具１９に接続されている。
【００１５】
また、前記マット部１０の上面部つまり取付面としての前記カバー１０ｂの上面１０ｄには、腰部に対応する位置に一対の伸ばし用エアーバッグ１７および１８が配設されている。
【００１６】
そして、これら伸ばし用エアーバッグ１７と１８は、図２に示すように互いに対向する側縁部（以下自由側縁部という）１７ａと１８ａを近接させるとともに、この自由側縁部１７ａおよび１８ａの反対側の側縁部（以下固定側縁部という）１７ｂおよび１８ｂを、前記マット部１０を覆うカバー１０ｂに糸１７ｅ、１８ｅによって縫い付けることによって取着されている。
【００１７】
このように伸ばし用エアーバッグ１７および１８は、固定側縁部１７ｂおよび１８ｂのみをカバー１０ｂに固定して取着されていることから、これら伸ばし用エアーバッグ１７および１８に、エアーの供給が開始され次第に膨張するとこの膨張につれて前記自由側縁部側は、自由になっていることから徐々に上方に向けて膨張し、前記自由側縁部１７ａおよび１８ａは次第にマット部１０の上面から上方に向けて突出し、略最大に膨張したときは図２に二点鎖線で示すようにマット部１０の上面から上方に向かって大きく突出するものである。
【００１８】
このように伸ばし用エアーバッグ１７および１８は、エアーが供給されるにつれて、自由側縁部１７ａおよび１８ａが徐々に上方に向けて突出することから、腰部をマッサージするものとすれば、腰部は徐々に押し上げられ伸ばされるものである。したがって、伸ばし用エアーバッグ１７および１８にエアーの給排気が繰り返されることにより、腰部を伸ばすマッサージが繰り返されるものである。
【００１９】
また、前記伸ばし用エアーバッグ１７および１８にはそれぞれホース１７ｃおよび１８ｃの一端が接続され、これらホース１７ｃおよび１８ｃの他端は一本のホース１７ｄに纏められて前記接続具１９に接続されている。
【００２０】
つぎに、前記エアー給排気装置２０について説明する。
【００２１】
このエアー給排気装置２０は、図４に示すようにエアーポンプ等から構成される周知のエアー生成手段３０、このエアー生成手段３０で生成されたエアーをエアーバッグ１１ないし１８にエアーを給排気するロータリー弁等からなるエアー分配器３２、前記エアー生成手段３０およびエアー分配器３２を制御するマイクロコンピューター等からなる制御手段３３等から構成されている。
【００２２】
そして、これらエアー生成手段３０、エアー分配器３２および制御手段３３は図１に示すように筐体２１内に収納されている。また、この筐体２１の側壁には図１に示すように接続具２２が設けられており、この接続具２２は図示しないが前記エアー分配器３２の各供給口とホース等を介して連通した図示しない複数の接続管が設けられている。
【００２３】
そして、前記接続具２２と前記マット部１０に設けられた接続口１９とは、複数のホースつまり図４に示すようにホース１１ａないし１６ａおよび１７ｄを束ねた接続ホース２６によって接続されている。
【００２４】
また、前記筐体２１の前面には入力手段である操作パネル２３および表示パネル２４が設けられており、前記操作パネル２３には、各種のマッサージモードを入力する複数のモード設定釦２３ａ、身体伸ばしモードを設定する伸ばし設定釦２３ｂ、各モードを開始させるつまり実行させる始動釦２３ｃ、マッサージ時間を設定する時間設定釦２３ｄ、電源スイッチ釦２３ｅ等が設けられている。また、前記表示パネル２４には、設定されたマッサージモード、設定されたマッサージ時間等が表示されるようになっている。
【００２５】
また、上記マッサージモードは、首用エアーバッグ１１ないし脚用エアーバッグ１６に順次エアーを給排気して全身をマッサージする全身マッサージモード、首用エアーバッグ１１ないし背中用エアーバッグ１３に順次をエアーを給排気して上半身をマッサージする上半身マッサージモード、尻用エアーバッグ１４ないし脚用エアーバッグ１６に順次をエアーを給排気して下半身をマッサージする下半身マッサージモード、伸ばし用エアーバッグ１７および１８にエアーを給排気して身体を伸ばす伸ばしモード等である。
【００２６】
つぎに、上記のマット式エアーマッサージ機１の制御について説明する。
【００２７】
この制御をする制御構成は図４に示すように構成されている。すなわち同図に示すように、前記エアー生成手段３０には、ホース３１を介して前記エアー分配器３２が接続されており、このエアー分配器３２は、前記ホース１１ａないし１６ａを介して前記首用エアーバッグ１１ないし脚用エアーバッグ１６が接続され、また、ホース１７ｄとこのホース１７ｄから分岐したホース１７ｃ、１８ｃを介して前記伸ばし用エアーバッグ１７および１８が接続されている。
【００２８】
なお、図４においてはマット部１０の接続具１９およびエアー給排気置２０の接続具２２は省略してある。
【００２９】
また、前記エアー生成手段３０およびエアー分配器３２は、前記制御手段３３によって制御されるようになっており、この制御手段３３には前記操作パネル２３つまり各操作釦の操作によって入力されたマッサージモード等の制御信号が入力されるようになっている。
【００３０】
そして、前記操作パネル２３から、所定のマッサージモードおよびマッサージ時間が設定されると、制御手段３３は、前記設定されたマッサージモードによって定められた順序にしたがって各エアーバッグにエアーを給排気するように前記エアー生成手段３０およびエアー分配器３２を制御するものである。
【００３１】
つぎに、制御つまりマット式エアーマッサージ機１の動作について説明する。なお、この発明の特徴である身体伸ばしモード以外の全身マッサージモード、上半身マッサージモードは、従来のものと同様な動作であることからその説明は省略する。
【００３２】
この身体伸ばしモードを実行させる場合は、使用者は前記操作パネル２３の伸ばしモード設定釦２３ｂを操作して身体伸ばしモードを設定するとともに時間設定釦２３ｄによって動作時間を設定した後、伸ばしたい身体部位、例えば腰部を前記伸ばし用エアーバッグ１７および１８の上に位置させてマット部１０に仰向けに横たわり、ついで始動釦２３ｃを操作する。
【００３３】
この始動釦２３ｃが操作されると、制御手段３３は、前記伸ばし用エアーバッグ１７および１８にエアーを給排気して膨縮させるように前記エアー生成手段３０とエアー分配器３２を制御する。
【００３４】
そして、伸ばし用エアーバッグ１７および１８にエアーの供給が開始されると伸ばし用エアーバッグ１７および１８は徐々に膨張し、この膨張にともなって伸ばし用エアーバッグ１７および１８の自由側縁部１７ａ、１８ａは次第にマット部１０の上面から上方に突出して腰部を上方に徐々に押し上げる。そして、伸ばし用エアーバッグ１７および１８が略最大に膨張したときは、図３に示すように腰部は最も上方まで押し上げられ、腰部の周囲の筋肉等は伸ばされるものである。
【００３５】
そして、伸ばし用エアーバッグ１７および１８へのエアーの給排気が繰り返されることによって身体に対する伸ばし動作が繰り返され、前記設定した時間が経過すると制御手段３３は、前記エアー生成手段３０およびエアー分配器３２を停止させ、この身体伸ばしモードは終了する。
【００３６】
なお、腰部ではなく別の部位例えば背中部を伸ばしたい場合は、背中部を前記伸ばし用エアーバッグ１７および１８の上に位置させて仰向けに横たわり、伸ばし用エアーバッグ１７および１８を膨縮させれば背筋が伸されるつまり背中部の筋肉等を伸ばすことができるものである。
【００３７】
このように、上記マット式エアーマッサージ機１は、互いに対向する自由側縁部１７ａおよび１８ａを接近させるとともに、この自由側縁部１７ａおよび１８ａと反対側の固定側縁部１７ｂおよび１８ｂをマット部１０つまりカバー１０ｂに取着した一対の伸ばし用エアーバッグ１７および１８を設け、この伸ばし用エアーバッグ１７および１８にエアーを供給することにより、自由側縁部をマット部１０の上面部から上方に向けて突出させることができるため、腰部等の身体の部位を伸ばすことができるものである。
【００３８】
また、伸ばし用エアーバッグ１７および１８が膨張するにつれて、前記自由側縁部１７ａと１８ａは図３に示す矢印方向に互いに離反するように動くことになり、この離反する動きよっても腰部は前記矢印方向に伸ばされることになり、この点からも身体伸ばし効果を向上させることができるものである。
【００３９】
なお、制御手段３３の制御により伸ばし用エアーバッグ１７および１８へのエアーの最大供給量を調節するようにすれば、使用者が所望する強さの身体伸ばしができるものであり、また、単位時間当たりのエアーの供給量を調節することにより押し上げる速さを調節できるものである。
【００４０】
また、上記参考例においては、マット部１０に首用エアーバッグ１１ないし脚用エアーバッグ１６を設ける構成としたが、これは身体伸ばしのみをするエアーマッサージ機としたい場合は、首用エアーバッグ１１ないし脚用エアーバッグ１６を設けない構成とすればよい。
【００４１】
また、上記参考例においては、身体を横たえることができる支持体をマット部１０とした場合について説明したが、これは、図５に示すように偏平状に形成された基台５０によって支持体を構成し、この基台５０の上面に上記参考例と同様に伸ばし用エアーバッグ１７および１８の自由側縁部１７ａおよび１８ａを近接させるとともに、固定側縁部１７ｂおよび１８ｂを取着し、これら伸ばし用エアーバッグ１７および１８にホース５１、５２を接続するとともにこれらホース５１、５２を纏めた一本のホース５３を介してエアー給排気装置２０からエアーの給排気をするようにした身体伸ばし専用のエアーマッサージ機としてもよいものである。
【００４２】
このように身体伸ばし専用のエアーマッサージ機とした場合は、身体の伸ばしたい部位に自由に配置できるとともに、小型とすることができることから使い勝手のよいエアーマッサージ機を提供できるものである。
【００４３】
つぎに、この発明をマット式エアーマッサージ機に適用した一実施の形態を図６ないし図８に基いて説明する。
【００４４】
また、この一実施の形態が上記参考例と相異する構成は、マット部の厚みが厚く形成されていることおよび身体を伸ばすための構成が異なるのみでその他の構成は同一であることから、同一部分には同一符号を付しその説明も省略する。また、図６においてはエアー給排気装置２０および首用エアーバッグ１１ないし脚用エアーバッグ１６とマット部１１０に設けた接続具１９とを接続するホース１１ａないし１６ａの一部は省略して示してある。また、図示しない構成についても説明においては上記参考例と同一構成については同一符号を用いて説明することとする。
【００４５】
つぎに、この一実施の形態において身体伸ばしをするための構成について説明する。
【００４６】
マット式エアーマッサージ機１００は、上記参考例と同様、マット部１１０と図示しないエアー給排気装置２０から構成されている。そして、図6に示すように、支持体としての前記マット部１１０は、上記参考例のマット部１０よりも厚みが厚く形成されており、この点を除いて他の構成は同一に形成されている。そして、このマット部１１０には図６に示すように首用エアーバッグ１１ないし脚用エアーバッグ１６が配設されている。
【００４７】
また、マット部１１０の上面部でかつ身体を仰向けにして横たえたとき腰部が位置する部位に、上方を開口１２１とした凹部１２０が形成されており、この凹部１２０は、図８に示すように互いに対向する対向壁（以下支持面という）１２２、１２３が底部１２４から前記開口１２１に向かうにつれて次第に拡開する傾斜壁として形成されている。
【００４８】
そして、この凹部１２０には、図７に示すように底部１２４に互いの一端部を近接させて取付片１３０ｃ、１３１ｃを図示しないが糸によって縫い付けることにより取り付けられた一つの押上用エアーバッグ１３０および１３１が配設されている。また、この押上用エアーバッグ１３０および１３１は前記凹部１２０に配設された状態では互いに対向する対向面（以下押上面という）１３０ａおよび１３１ａと反対の面（以下被支持面という）１３０ｂおよび１３１ｂは、前記凹部１２０の支持面１２２および１２３に対向しており、押上用エアーバッグ１３０および１３１にエアーが供給されて膨張するときは前記支持面１２２および１２３に支持されるようになっている。
【００４９】
また、前記押上用エアーバッグ１３０および１３１の互いに対向する押上面１３０ａおよび１３１ａの間には、押圧子１４０が上下方向に移動可能にして配置されている。この押圧子１４０は、図６および図７に示すように円筒状に形成され、前記押上用エアーバッグ１３０および１３１が膨張するにつれて前記両押上面１３０ａおよび１３１ａによって次第に上方に押し上げられ、押上用エアーバッグ１３０および１３１が略最大に膨張した際は図７に二点鎖線で示すように少なくとも一部は前記両押上用エアーバッグ１３０および１３１の上端部から上方に突出する位置まで移動するようになっている。
【００５０】
また、押圧子１４０は円筒状に形成されていることから、押上用エアーバッグ１３０および１３１が膨張し、押上面１３０ａおよび１３１ａによって両側から押圧力を受けたとき、押上面１３０ａおよび１３１ａによる押し上げはスムーズになされるものである。
【００５１】
また、前記押圧子１４０は、前記両押上用エアーバッグ１３０および１３１が収縮した状態では、図７に示すように凹部１２０内に没入し、マット部１１０の上面から上方には突出しないようにその直径は設定されているものである。このことによって、身体伸ばしモードを実行しない状態でマット部１１０を使用する際には前記押圧子１４０が邪魔になることがないようになっている。
【００５２】
このように押上用エアーバッグ１３０および１３１が略最大に膨張した際に、押圧子１４０の少なくとも一部が前記両押上用エアーバッグ１３０および１３１の上端部から上方に突出する位置まで移動することにより、この押圧子１４０によって図７に二点鎖線で示すように腰部は上方に押し上げられ、腰部の周囲の筋肉等は伸ばされるものである。また、この押圧子１４０は円筒形状に形成されていることから、その上面部は腰部等を押圧するように機能することから、腰部にいわゆる指圧効果を同時に与えることができるものである。
【００５３】
また、押圧子１４０は上記のように指圧効果を身体の各部位に与えることができるものであることから、押上げによる身体伸ばしのみではなく指圧をする目的にも用いることができるものである。
【００５４】
なお、制御構成は、上記参考例における図４に示す制御ブロック図に示されている伸ばし用エアーバッグ１７および１８を前記押上用エアーバッグ１３０および１３１に置き換えた構成と同一であることから、制御ブロック図は省略する。また、押上用エアーバッグ１３０および１３１へのエアーの給排気の制御も、伸ばし用エアーバッグ１７および１８の制御と同様である。
【００５５】
つぎに、このマット式エアーマッサージ機１００の身体伸ばしモードにおける動作について説明する。
【００５６】
使用者が例えば腰部を中心とした部位のマッサージをしようとする場合は、エアー給排気装置２０の操作パネル２３の伸ばし設定釦２３ｂを操作して身体伸ばしモードを設定するとともに、時間設定釦２３ｄにより動作時間を設定し、ついで、腰部を前記押圧子１４０の上部に位置させて仰向け状態にマット部１１０に横たわり、始動釦２３ｃを操作する。
【００５７】
この始動釦２３ｃが操作されると、制御手段３３はエアー生成手段３０およびエアー分配器３２を制御して前記押上用エアーバッグ１３０および１３１にエアーの給排気をする。
【００５８】
そして、押上用エアーバッグ１３０および１３１にエアーの供給が開始されると、両押上用エアーバッグ１３０および１３１は次第に膨張し、この膨張に伴って互いに対向する両押上面１３０ａおよび１３１ａは前記押圧子１４０を押圧することになり、この押圧子１４０が両押上面１３０ａおよび１３１ａから押圧力を受けると、押上面１３０ａおよび１３１ａは上方に向けて拡開していることから、前記押上面１３０ａおよび１３１ａによって次第に上方に押し上げられて上方に向けて移動する。
【００５９】
そして、両押上面１３０ａおよび１３１ａが略最大に膨張したときは、前述したように押圧子１４０は、図７に二点鎖線で示した位置まで移動して両押上面１３０ａおよび１３１ａの上端部よりも上方に突出し、腰部を上方に押し上げる。したがって、腰部を中心とした周囲の筋肉等は伸ばされるとともに、腰部は押圧子１４０によって押圧され指圧効果が付与されるものである。
【００６０】
そして、押上面１３０ａおよび１３１ａのエアーが徐々に排気されると押圧子１４０に加わっている両押上面１３０ａおよび１３１ａの押圧力は弱まることから、押圧子１４０は次第に下方に移動し、初期の位置つまり前記凹部１２０内に没入する。そして、再びエアーの供給が開始されると押圧子１４０は両押圧面１３０ａおよび１３１ａによって上方に押し上げられ、腰部を押し上げることになる。
【００６１】
このように、押上面１３０ａおよび１３１ａへのエアーの給排気が繰り返されることにより、押圧子１４０は上下方向に移動し上方に移動したとき、腰部は押し上げられつつ伸ばされ、それが繰り返され、前記設定した時間が経過すると制御手段３３はエアー生成手段３０およびエアー分配器３２を停止させ、この身体伸ばしモードは終了する。
【００６２】
このように、この一実施の形態のエアーマッサージ機１００は、マット部１１０に、上方を開口１２１とするとともに互いに対向する支持面１２２および１２３を底部１２４から前記開口１２１に向かうにつれて拡開させて傾斜壁とした凹部１２０を設け、そして、この凹部１２０の底壁１２４に、一対の押上用エアーバッグ１３０および１３１を、互いの一端部つまり下端部を近接させて取着するとともに、被支持面１３０ｂおよび１３１ｂを前記支持面１２２および１２３に支持させて前記凹部１２０内に設け、この押上用エアーバッグ１３０および１３１の前記押上面１３０ａおよび１３１ａに上下方向に移動可能に支持させて押圧子１４０を配設し、押上用エアーバッグ１３０および１３１の膨張によって、押圧子１４０を上方に押し上げ、腰部等の身体の部位を押し上げつつ伸ばすことができるとともに、押圧子１４０による押圧によって指圧効果が付与されるものである。
【００６３】
なお、制御手段３３の制御により押上用エアーバッグ１３０および１３１へのエアーの最大供給量を調節するようにようにすれば、押圧子１４０の突出量を変えて使用者を所望する強さで押上げて伸ばすことができるものである。
【００６４】
また、上記一実施の形態においては、マット部１１０に首用エアーバッグ１１ないし脚用エアーバッグ１６を設ける構成としたが、これは押圧子１４０のみにより身体伸ばしのみをするエアーマッサージ機としたい場合は、首用エアーバッグ１１ないし脚用エアーバッグ１６を設けない構成とすればよい。
【００６５】
また、上記一実施の形態においては身体を横たえることができる支持体をマット部１１０とした場合について説明したが、これは、図９に示すように偏平状に形成された基台１５０によって支持体を構成し、この基台１５０に設けた凹部１２０内に上記一実施の形態と同様に押上用エアーバッグ１３０および１３１を配置するとともに、前記押上用エアーアバッグ１３０および１３１にホース１５３から分岐した、ホース１５１および１５２を接続し、前記ホース１５３を介してエアーを給排気する構成のエアーマッサージ機としてもよいものである。このようなエアーマッサージ機とした場合は、身体の伸ばしたい部位に自由に配置できるとともに、小型とすることができることから使い勝手のよいエアーマッサージ機を提供できるものである。
【００６６】
また、支持体としては、上記それぞれの実施の形態のようにマット部１０あるいは基台５０等に限られるものではなく、例えば椅子式エアーマッサージ機の背もたれ部によって構成してもよいものである。
【００６８】
【発明の効果】
請求項１記載の発明は、上方を開口するとともに互いに対向する対向壁を底部から前記開口に向かうにつれて拡開させて傾斜壁とした凹部を支持体に設け、この凹部の底部に互いの一端部を近接させて取着されるとともに互いに対向する対向面と反対側の面を前記傾斜壁に支持させ、エアーの給排気により膨縮する一対の押上用エアーバッグを前記凹部内に配設し、この押上用エアーバッグの両対向面に支持させて配置され前記一対の押上用エアーバッグの膨張につれて前記対向面によって上方に押上げられて移動するとともに、前記両押上用エアーバッグの略最大膨張時には少なくともその一部は前記両押上用エアーバッグの上端部から突出する押圧子を設けたことから、押上用エアーバッグが膨張するにつれて上方に押上げられる前記押圧子によって身体の部位は上方に押上げられて伸ばされるとともに、この押圧子は身体の前記押上げる部分を押圧して指圧効果を付与するという効果を有するものである。
【００６９】
また、請求項２記載の発明は、請求項１記載の発明において、身体を支持する支持体をマット部によって構成したことから、請求項１記載の発明の効果に加えて、マットに横たわった身体をより効果的に伸ばすことができるという効果を有するものである。
【図面の簡単な説明】
【図１】本発明の参考例に係るマット式エアーマッサージ機を示す斜視図。
【図２】上記マット式エアーマッサージ機の伸ばし用エアーバッグの取付状態を示す図。
【図３】上記伸ばし用エアーバッグの膨張状態を示す図。
【図４】上記マット式エアーマッサージ機の制御ブロック図。
【図５】上記伸ばし用エアーバッグをマット部に替えて基台に取り付けた他の参考例を示した斜視図。
【図６】本発明をマット式エアーマッサージ機に適用した場合の一実施の形態の斜視図。
【図７】上記一実施の形態の押上用エアーバッグの取付状態を示す断面図。
【図８】上記一実施の形態の形態のマット部の凹部を形成した部分の斜視図。
【図９】上記一実施の形態の押上用エアーバッグをマット部に替えて基台に取り付けた第二の実施の形態を示した斜視図。
【符号の説明】
２０          エアー給排気装置
１００        マット式エアーマッサージ機
１１０        マット部(支持体)
１２０        凹部
１２１        凹部の開口
１２２、１２３  凹部の対向壁（傾斜壁）
１２４        凹部の底部
１３０、１３１  押上用エアーバッグ
１３０ａ、１３１ａ  押上用エアーバッグの対向面
１４０        押圧子
【図１】
0003619671.tif 000002
【図２】
0003619671.tif 000003
【図３】
0003619671.tif 000004
【図４】
0003619671.tif 000005
【図５】
0003619671.tif 000006
【図６】
0003619671.tif 000007
【図７】
0003619671.tif 000008
【図８】
0003619671.tif 000009
【図９】
0003619671.tif 000010